(57)【要約】【課題】清掃体が汚れた場合にこの清掃体のみを交換でき、かつ、確実に孔部の内周面を清掃できる内周面クリーナを提供する。【解決手段】内周面クリーナ１０１を構成する内周面クリーナ本体部１０１ａは、清掃体取付部１０２と、握り部１０３と、を備える。清掃体取付部１０２は、円柱状又は円錐状をなしていて、一端面である上底面１０５の大きさが、他端面である下底面１０６の大きさ以下である。握り部１０３は、下底面１０６から延出している。このような内周面クリーナ本体部１０１ａの上底面１０５からは、清掃体２０１が装着される。清掃体２０１は、コップ状をなしていて、その開口側を清掃体取付部１０２の上底面１０５側から挿入させて、清掃体取付部１０２に着脱自在に装着される。【選択図】図１
2011051067.tif 000002
【特許請求の範囲】
【請求項１】
一端面の大きさが他端面の大きさ以下である円柱状又は円錐状の清掃体取付部と、前記清掃体取付部の前記他端面から延出する握り部と、を備える内周面クリーナ本体部と、
コップ状をなし、開口側を前記清掃体取付部の前記一端面側から挿入させて当該清掃体取付部に着脱自在に装着される清掃体と、
を備える内周面クリーナ。
【請求項２】
前記清掃体取付部は、側面に、母線方向に延びる溝部を有し、
前記清掃体は、内周面に、前記溝部に入り込む突起部を有する、
請求項１記載の内周面クリーナ。
【請求項３】
前記溝部は、前記清掃体取付部の側面に複数設けられ、
前記突起部は、前記清掃体の外側面を陥没させて複数形成され、
前記清掃体取付部の前記他端面に引っかかる爪部と、前記爪部を先端に有して前記清掃体の外周面に形成された外側溝に入り込み当該清掃体を挟む長尺部と、を備えて、前記清掃体を前記清掃体取付部に挟み付けるクリップ体を備える、
請求項２記載の内周面クリーナ。
【請求項４】
前記清掃体取付部に取り付けられた前記清掃体における前記握り部側の領域を当該清掃体取付部の周回り方向に沿って固定する外周固定体を備える、
請求項１ないし３のいずれか一に記載の内周面クリーナ。
【請求項５】
前記清掃体取付部は、その外周で前記握り部側の領域に、当該清掃体取付部の周回り方向に形成されるボルト部を有し、
前記外周固定体は、前記ボルト部に螺合するナット部と、前記清掃体取付部の側面と同じ向きに傾斜し、前記ボルト部と前記ナット部との螺合に応じて前記清掃体を前記清掃体取付部の側面に締め付ける傾斜部と、を内周面に形成するナット体である、
請求項４記載の内周面クリーナ。
【請求項６】
前記清掃体取付部の前記一端面には、前記他端面の方向に陥没する第１凹部が設けられ、
前記清掃体の底面には、前記清掃体の開口側に陥没して前記第１凹部に入り込む第２凹部が設けられている、
請求項１ないし５のいずれか一に記載の内周面クリーナ。
【請求項７】
一端面の大きさが他端面の大きさ以下である円柱状又は円錐状の清掃体取付部と、
前記清掃体取付部の前記他端面から延出する握り部と、
を備え、コップ状をなす清掃体の開口側を前記清掃体取付部の前記一端面側から挿入させて当該清掃体取付部に着脱自在に装着させる内周面クリーナ本体部。
【請求項８】
コップ状をなす清掃体であって、
一端面の大きさが他端面の大きさ以下である円柱状又は円錐状の清掃体取付部と、前記清掃体取付部の前記他端面から延出する握り部と、を備える内周面クリーナ本体部の前記一端面側からコップ形状の開口側を挿入させて当該清掃体取付部に着脱自在に装着される清掃体。
【発明の詳細な説明】
【技術分野】
【０００１】
本発明は、ボール盤、フライス盤、マシニングセンタ等の機械の主軸に形成されるテーパ状（又は円柱状）の内周面や、工具に設けられる円錐状管のテーパ状（又は円柱状）の内周面に付着した汚れを取り除くための内周面クリーナ、並びに、この内周面クリーナを構成する内周面クリーナ本体部及び清掃体に関する。
【背景技術】
【０００２】
従来、清掃対象となるテーパ状（又は円柱状）の孔部の内周面に付着した油、ゴミ等の汚れを取り除くための内周面クリーナがある（例えば、非特許文献１）。非特許文献１に記載の内周面クリーナでは、内周面クリーナ本体部の一部が円錐形状となっていて、この円錐部のテーパ状の外周面には、繊維素材で形成される清掃体が強固に取り付けられている。
【先行技術文献】
【非特許文献】
【０００３】
【非特許文献１】大昭和精機株式会社、“内径・外径用クリーナシリーズ″、［online］、［平成２１年８月１４日検索］、インターネット（ＵＲＬ：http://www.big-daishowa.co.jp/pdf/cleaner.pdf〉
【発明の概要】
【発明が解決しようとする課題】
【０００４】
内周面クリーナによって孔部の内周面に付着した汚れを確実に取り除くためには、清掃体と孔部の内周面とが広く面的に接触することが大切である。一方、清掃体を構成する繊維素材には柔軟性があるため、内周面に清掃体を強く当てて汚れを拭き取ろうとすると、清掃体にシワが生じやすい。この点、非特許文献１に記載の内周面クリーナでは、内周面クリーナ本体部に形成された円錐部の外周面に対して清掃体が強固に取り付けられているため、清掃体にシワが生じない。しかしながら、強固に取り付けられているがために、清掃体が汚れた場合には内周面クリーナ本体部まで交換しなければならない。これでは、交換する必要のない内周面クリーナ本体部が無駄になり、非経済的であるばかりか、内周面クリーナ本体部を製造するための素材が無駄になってしまう。
【０００５】
本発明は、上記の点を鑑みてなされたものであり、清掃体が汚れた場合にこの清掃体のみを交換でき、かつ、確実に孔部の内周面を清掃できる内周面クリーナを提供することを目的とする。
【課題を解決するための手段】
【０００６】
本発明の内周面クリーナは、一端面の大きさが他端面の大きさ以下である円柱状又は円錐状の清掃体取付部と、前記清掃体取付部の前記他端面から延出する握り部と、を備える内周面クリーナ本体部と、コップ状をなし、開口側を前記清掃体取付部の前記一端面側から挿入させて当該清掃体取付部に着脱自在に装着される清掃体と、を備える。
【０００７】
本発明は、上記の内周面クリーナ本体部及び上記の清掃体のそれぞれについても規定する。
【発明の効果】
【０００８】
本発明によれば、コップ状の清掃体を円柱状又は円錐状の清掃体取付部の一端部から着脱自在に取り付けられるので、清掃体が汚れた場合にこの清掃体のみを交換でき、かつ、確実に孔部の内周面を清掃できる内周面クリーナを提供することができる。
【図面の簡単な説明】
【０００９】
【図１】第一の実施の形態における、内周面クリーナの斜視図である。
【図２】内周面クリーナの分解斜視図である。
【図３】（ａ）は、清掃体の平面図である。（ｂ）は、（ａ）のＡ−Ａ線断面図である。
【図４】（ａ）は、清掃対象部材の孔部の内周面に挿入させた状態の内周面クリーナの平面断面図である。（ｂ）は、（ａ）のＢ−Ｂ線断面図である。
【図５】第二の実施の形態における、内周面クリーナの斜視図である。
【図６】内周面クリーナの分解斜視図である。
【図７】ナット体の軸方向断面図である。
【図８】清掃対象部材の孔部の内周面に挿入させた状態の内周面クリーナの平面断面図である。
【図９】第三の実施の形態における、内周面クリーナの分解斜視図である。
【図１０】第四の実施の形態における、内周面クリーナの斜視図である。
【図１１】内周面クリーナの分解斜視図である。
【発明を実施するための形態】
【００１０】
実施の一形態を、図１ないし図４に基づいて説明する。説明の便宜上、本実施の形態を第一の実施の形態と呼ぶ。図１は、内周面クリーナ１０１の斜視図である。内周面クリーナ１０１は、キノコ型形状の内周面クリーナ本体部１０１ａに、清掃体２０１を装着して形成されるものである。内周面クリーナ本体部１０１ａは、一例として、合成樹脂で形成されるものである。この内周面クリーナ本体部１０１ａは、円錐台形状の清掃体取付部１０２と、清掃体取付部１０２の他端側である下底面１０６（図２参照）から延出する円柱形状の握り部１０３と、を備える。清掃体２０１は、清掃体取付部１０２の一端側である上底面１０５（図２参照）から挿入されて、清掃体取付部１０２に対し着脱自在に装着される。すなわち、清掃体２０１は、清掃体取付部１０２に固定取付されない。使用者は、この内周面クリーナ１０１の握り部１０３を手で持ち、清掃体２０１を挿入して握り部１０３を動かして、清掃対象部材８０１（図４参照）に形成された孔部のテーパ状の内周面８０２（図４参照）に付着した汚れを清掃することができる。
【００１１】
なお、本実施の形態では、内周面クリーナ本体部１０１ａが円錐台形状であって、上底面１０５の大きさが下底面１０６の大きさより小さい場合について説明するが、実際はこれに限られることは無く、清掃体２０１は清掃体取付部１０２の一端側から着脱できればよい。すなわち、内周面クリーナ本体部１０１ａが円柱形状をなしていて、上底面１０５と下底面１０６とが同一形状であってもよい。この場合の内周面クリーナ１０１は、内周面が円筒状になっている孔部を有する清掃対象部材に対して用いられる。
【００１２】
図２は、内周面クリーナ１０１の分解斜視図である。清掃体取付部１０２の側面は、テーパ面１０４となっている。また、清掃体取付部１０２は、略円形の上底面１０５と、上底面１０５より広い略円形の下底面１０６とを、テーパ面１０４に隣接にさせて有する。テーパ面１０４には、溝部としての第１溝１０７が二つ、溝部としての第２溝１０８が六つ、設けられている。各第１溝１０７は、テーパ面１０４において、清掃体取付部１０２の円錐軸ＡＸについて互いに対称となる箇所に設けられている。これらの第１溝１０７は、テーパ面１０４の母線方向に延びていて、その両端は上底面１０５と下底面１０６とのそれぞれに位置する。また、第２溝１０８は、テーパ面１０４においてその周回り方向に沿って設けられる二つの第１溝１０７の間の領域にそれぞれ三つずつ設けられている。そして、第２溝１０８同士の間、及び、第１溝１０７と第２溝１０８との間の距離は、等しい。第２溝１０８は、テーパ面１０４の母線方向に延びていて、その両端は上底面１０５と下底面１０６とのそれぞれに位置する。そして、第２溝１０８の断面形状は、第１溝１０７の断面形状よりも小さい。
【００１３】
握り部１０３は、清掃体取付部１０２の下底面１０６から、清掃体取付部１０２の円錐軸ＡＸの方向に延出している。このような清掃体取付部１０２と握り部１０３とによって、内周面クリーナ１０１は、キノコ型形状をなしている。なお、握り部１０３は、円柱に限られず、円筒であってもよい。
【００１４】
図３（ａ）は、清掃体２０１の平面図である。図３（ｂ）は、図３（ａ）のＡ−Ａ線断面図である。図２、図３（ａ）及び図３（ｂ）に基づいて、清掃体２０１について説明する。清掃体２０１は、繊維素材でコップ形状に形成される。一例として、パルプの素材を固めて形成される。別の一例として、清掃体２０１は、ポリエステル素材で形成されていても良い。また、清掃体２０１は、綿素材で形成されていても良い。清掃体２０１の底面部２０２は、略円形となっている。清掃体２０１の側面部２０３は、底面部２０２から広がるテーパ状をなしている。また、側面部２０３の厚さは、一様である。清掃体２０１の内周面は、清掃体取付部１０２のテーパ面１０４と同じ角度で傾斜している。
【００１５】
清掃体２０１は、内周面に、六つの小突起部２０４を備える。この小突起部２０４は、一例として、棒状の針金（図示せず）を清掃体２０１の内周面側に埋め込むことによって形成される。各小突起部２０４は、清掃体２０１の内周面で、清掃体２０１のなす円錐形の母線方向に延びている。清掃体２０１が清掃体取付部１０２に取り付けられた場合、小突起部２０４は、第２溝１０８に入り込む。
【００１６】
清掃体２０１は、内側に突出する大突起部２０５を二つ形成する。各大突起部２０５は、側面部２０３を外側から押し出すことによって形成され、清掃体２０１のなす円錐形の母線方向に伸びている。清掃体２０１が清掃体取付部１０２に取り付けられた場合、大突起部２０５は、第１溝１０７に入り込む。
【００１７】
図４（ａ）は、清掃対象部材８０１の孔部の内周面８０２に挿入させた状態の内周面クリーナ１０１の平面断面図である。図４（ｂ）は、図４（ａ）のＢ−Ｂ線断面図である。使用者は、内周面クリーナ１０１を用いて清掃対象部材８０１に形成された孔部のテーパ状の内周面８０２に付着した汚れを清掃する場合、まず、内周面クリーナ本体部１０１ａの清掃体取付部１０２に清掃体２０１を装着する。このとき、清掃体２０１の開口側が、清掃体取付部１０２の上底面１０５から挿入される。また、清掃体２０１の大突起部２０５は、清掃体取付部１０２の第１溝１０７に入り込む。また、清掃体２０１の小突起部２０４は、清掃体取付部１０２の第２溝１０８に入り込む。ここで重要なのは、清掃体２０１は、接着剤等によって清掃体取付部１０２に貼り付けられることはなく、清掃体２０１に設けられた突起部（大突起部２０５、小突起部２０４）が清掃体取付部１０２に設けられた溝部（第１溝１０７、第２溝１０８）に入り込むことで清掃体取付部１０２に装着される、という点である。
【００１８】
続いて、使用者は、握り部１０３を握って清掃対象部材８０１に形成された孔部に清掃体取付部１０２を挿入し、清掃体２０１を孔部の内周面８０２に接触させる。ここで、清掃体２０１の側面部２０３の厚さが一様であり、孔部の内周面８０２の傾斜と清掃体取付部１０２のテーパ面１０４の傾斜とが一致しているため、清掃体２０１の側面部２０３は孔部の内周面８０２に面的に接触する。
【００１９】
続いて、使用者は、握り部１０３をその軸方向ＲＡに前後させたりその軸回り方向ＲＢに回転させたりする。これにより、清掃体２０１は、清掃対象部材８０１の孔部の内周面８０２に付着した汚れを擦り落とす。このとき、清掃体２０１の大突起部２０５が清掃体取付部１０２の第１溝１０７に入り込むとともに清掃体２０１の小突起部２０４が清掃体取付部１０２の第２溝１０８に入り込んでいるため、握り部１０３が回転されても清掃体２０１は清掃体取付部１０２の外周を滑ることが無く、また、清掃体２０１が弛んでシワ寄せされることがない。
【００２０】
清掃対象部材８０１の孔部の内周面８０２の清掃後、使用者は、握り部１０３を引いて清掃体２０１を清掃対象部材８０１の孔部から抜く。ここで、清掃体２０１は清掃体取付部１０２に対して着脱自在であって、接着剤等で固定されているわけではない。そこで、使用者は、汚れた清掃体２０１を清掃体取付部１０２から取り外し、汚れていない新たな清掃体２０１を清掃体取付部１０２に装着することができる。
【００２１】
このように、本実施の形態の内周面クリーナ１０１によれば、コップ状の清掃体２０１が清掃体取付部１０２の上底面１０５から着脱自在に取り付けられるので、清掃体２０１のみを交換でき、かつ、確実に清掃対象部材８０１の孔部の内周面８０２を清掃することができ、さらには清掃途中において清掃体２０１にシワが生じない。
【００２２】
なお、本実施の形態において、清掃体２０１の内周面に小突起部２０４が設けられていなくてもよい。この場合であっても、大突起部２０５が第１溝１０７に入り込んで、清掃体２０１が清掃体取付部１０２の周回り方向に滑ることが防止される。また、清掃体取付部１０２に設けられた第２溝１０８は、清掃体２０１の内周面に接触すると、タイヤのトレッドパターンのような滑り止め機能を発揮して、清掃体２０１が清掃体取付部１０２の周回り方向に滑ることが防止される。
【００２３】
実施の別の一形態を、図５ないし図８に基づいて説明する。説明の便宜上、本実施の形態を第二の実施の形態と呼ぶ。本実施の形態において、第一の実施の形態と同一の部分には同一の符号を付し、説明を省略する。図５は、内周面クリーナ１０１の斜視図である。本実施の形態において、清掃体２０１は、清掃体取付部１０２に装着された後、この清掃体取付部１０２における握り部１０３側の領域を、外周固定体としてのナット体３０１によって清掃体取付部１０２のテーパ面１０４の周回り方向に沿って締め付け固定される。
【００２４】
図６は、内周面クリーナ１０１の分解斜視図である。清掃体取付部１０２のテーパ面１０４における握り部１０３側の端部領域には、ボルト部１０９が形成されている。このボルト部１０９は、テーパ面１０４の周回り方向に螺旋状に延びる雄ネジ条１１０によって構成される。
【００２５】
ナット体３０１は、清掃体２０１が取り付けられた状態の清掃体取付部１０２の上底面１０５側から挿入され、ボルト部１０９に螺合する。このナット体３０１は、円筒形状をなしている。ナット体３０１の外周面には、溝３０５が設けられている。溝３０５は、使用者がナット体３０１の外周面を握ってナット体３０１を回す際に滑り止め機能を発揮する。
【００２６】
図７は、ナット体３０１の軸方向断面図である。ナット体３０１の内周面には、ナット部３０２と傾斜部３０３とが形成されている。ナット部３０２は、ナット体３０１の内周面で一方の開口端（この開口端を、「第１開口端３０６」と呼ぶ）側に設けられる。ナット部３０２は、ナット体３０１の内周面の周回り方向に螺旋状に延びる雌ネジ条３０４によって構成される。また、傾斜部３０３は、ナット体３０１の内周面で他方の開口端（この開口端を、「第２開口端３０７」と呼ぶ）側に設けられる。傾斜部３０３は、第２開口端３０７から第１開口端３０６に向かうにつれて広がるテーパ状をなしていて、その傾斜は、清掃体取付部１０２のテーパ面１０４の傾斜と同じである。
【００２７】
図８は、清掃対象部材８０１の孔部の内周面８０２に挿入させた状態の内周面クリーナ１０１の平面断面図である。本実施の形態の内周面クリーナ１０１を用いる場合、使用者は、内周面クリーナ本体部１０１ａの清掃体取付部１０２に清掃体２０１を装着した後、清掃体取付部１０２の上底面１０５側からナット体３０１を挿入し、ナット部３０２をボルト部１０９に螺合させる。その結果、傾斜部３０３は、清掃体２０１における握り部１０３側の端部をテーパ面１０４に押し付け、この清掃体２０１をテーパ面１０４に締め付け固定する。これにより、使用者は、握り部１０３を持って清掃体２０１を清掃対象部材８０１の孔部の内周面８０２に接触させ、そこに付着した汚れを擦り落とすことができる。
【００２８】
清掃対象部材８０１の孔部の内周面８０２の清掃後、使用者は、握り部１０３を引いて清掃体２０１を清掃対象部材８０１の孔部から抜く。ここで、清掃体２０１は清掃体取付部１０２に対して着脱自在である。そこで、使用者は、汚れた清掃体２０１を清掃体取付部１０２から取り外し、汚れていない新たな清掃体２０１を清掃体取付部１０２に装着することができる。
【００２９】
また、使用者は、ナット体３０１を回転することによって、ボルト部１０９とナット部３０２との螺合を緩めて、汚れた清掃体２０１を清掃体取付部１０２から取り外すことができる。その後、使用者は、汚れていない新たな清掃体２０１を清掃体取付部１０２に装着し、ナット体３０１を回転することによって、ナット部３０２をボルト部１０９に螺合して清掃体２０１をテーパ面１０４に締め付け固定することができる。
【００３０】
本実施の形態の内周面クリーナ１０１によっても、コップ状の清掃体２０１が清掃体取付部１０２の上底面１０５から着脱自在に取り付けられるので、清掃体２０１のみを交換でき、かつ、確実に清掃対象部材８０１の孔部の内周面８０２を清掃することができる。そして、本実施の形態の内周面クリーナ１０１では、ナット体３０１によって清掃体２０１が清掃体取付部１０２に締め付け固定され、清掃途中において清掃体２０１が内周面クリーナ本体部１０１ａから外れることはない。
【００３１】
なお、上記の説明では、清掃体取付部１０２のテーパ面１０４に第１溝１０７及び第２溝１０８を設けること、並びに、清掃体２０１の内周面に小突起部２０４及び大突起部２０５を設けることについては言及していない。また、これらについて図４ないし図８においても図示していない。しかしながら、当然のことながら、本実施の形態の内周面クリーナ１０１に対しても、第一の実施の形態の説明において述べた技術的思想を適用することができる。すなわち、本実施の形態の内周面クリーナ１０１においても、清掃体取付部１０２のテーパ面１０４に第１溝１０７及び第２溝１０８を設け、清掃体２０１の内周面に小突起部２０４及び大突起部２０５を設け、小突起部２０４を第２溝１０８に嵌め込ませ、大突起部２０５を第１溝１０７に嵌め込ませて、清掃体２０１を清掃体取付部１０２の外周に対して滑らせないようにすることができる。
【００３２】
実施の別の一形態を、図９に基づいて説明する。説明の便宜上、本実施の形態を第三の実施の形態と呼ぶ。本実施の形態において、これまでに述べた実施の形態と同一の部分には同一の符号を付し、説明を省略する。図９は、内周面クリーナ１０１の分解斜視図である。本実施の形態において、内周面クリーナ本体部１０１ａの清掃体取付部１０２の上底面１０５側には、第１凹部１１１が形成されている。この第１凹部１１１は、円形状をなし、上底面１０５から下底面１０６側に陥没している。
【００３３】
また、本実施の形態において、清掃体２０１の底面部２０２には、この底面部２０２から清掃体取付部１０２の開口側に陥没して、第２凹部２０７が形成されている。この第２凹部２０７の形状は、清掃体取付部１０２の上底面１０５に形成された第１凹部１１１と同じ円形状となっている。
【００３４】
本実施の形態の内周面クリーナ１０１では、内周面クリーナ本体部１０１ａの清掃体取付部１０２に清掃体２０１が装着されると、清掃体２０１の第２凹部２０７が清掃体取付部１０２の第１凹部１１１に入り込む。
【００３５】
本実施の形態の内周面クリーナ１０１によっても、コップ状の清掃体２０１が清掃体取付部１０２の上底面１０５から着脱自在に取り付けられるので、清掃体２０１のみを交換でき、かつ、確実に清掃対象部材８０１の孔部の内周面８０２を清掃することができる。そして、本実施の形態では、清掃体２０１の第２凹部２０７が清掃体取付部１０２の第１凹部１１１に入り込む結果、清掃体取付部１０２と清掃体２０１との接触面積が多くなる。このため、清掃対象部材８０１（図８参照）に形成された孔部のテーパ状の内周面８０２（図４参照）の清掃のために清掃体２０１が擦り付けられても、清掃体２０１が内周面クリーナ本体部１０１ａから外れにくい。
【００３６】
なお、本実施の形態の内周面クリーナ１０１に対しても、当然のことながら、第一の実施の形態の説明において述べた技術的思想を適用することができる。すなわち、本実施の形態の内周面クリーナ１０１において、清掃体取付部１０２のテーパ面１０４に第１溝１０７及び第２溝１０８を設け、清掃体２０１の内周面に小突起部２０４及び大突起部２０５を設け、小突起部２０４を第２溝１０８に嵌め込ませ、大突起部２０５を第１溝１０７に嵌め込ませて、清掃体２０１を清掃体取付部１０２の外周に対して滑らせないようにしてもよい。
【００３７】
実施の別の一形態を、図１０及び図１１に基づいて説明する。説明の便宜上、本実施の形態を第四の実施の形態と呼ぶ。本実施の形態は、基本的には第一の実施の形態に準じたものである。本実施の形態において、第一の実施の形態と同一の部分には同一の符号を付し、説明を省略する。図１０は、内周面クリーナ１０１の斜視図である。図１１は、内周面クリーナ１０１の分解斜視図である。本実施の形態では、清掃体２０１が清掃体取付部１０２に装着された後、クリップ体４０１に挟まれて清掃体取付部１０２に固定される。
【００３８】
クリップ体４０１は、長尺の上片４０２の一端と長尺の下片４０３の一端とが連結片４０４で連結されているコ字形状をなしている。上片４０２及び下片４０３は、清掃体２０１を挟む長尺部を構成している。上片４０２の他端及び下片４０３の他端のいずれにも、爪部４０５が設けられている。二つの爪部４０５は、互いに向かい合っている。上片４０２の幅も、下片４０３の幅も、大突起部２０５（図３（ｂ）参照）を形成することによって清掃体２０１の側面部２０３に形成される外側溝２０６の幅より小さい。また、連結片４０４の長さＬ１は、清掃体２０１における底面部２０２の直径Ｒ１よりも小さい。また、上片４０２における爪部４０５側の外側端部と下片４０３における爪部４０５側の外側端部との距離Ｌ２は、清掃体２０１の開口側底面の外径Ｒ２よりも小さい。また、上片４０２における連結片４０４と爪部４０５との間の距離、及び、下片４０３における連結片４０４と爪部４０５との間の距離Ｌ４は、清掃体取付部１０２のテーパ面１０４の母線の長さに等しい。
【００３９】
本実施の形態の内周面クリーナ１０１を用いる場合、使用者は、内周面クリーナ本体部１０１ａの清掃体取付部１０２に清掃体２０１を装着した後、この清掃体２０１にクリップ体４０１を取り付ける。このとき、使用者は、上片４０２及び下片４０３を、二つの外側溝２０６のそれぞれの内部に位置付ける。その結果、爪部４０５は清掃体取付部１０２の下底面１０６に引っかかり、上片４０２及び下片４０３は清掃体２０１を挟みこみ、清掃体取付部１０２に固定する。その結果、使用者は、握り部１０３を持って清掃体２０１を清掃対象部材８０１の孔部の内周面８０２に接触させ、そこに付着した汚れを擦り落とすことができる。
【００４０】
清掃対象部材８０１の孔部の内周面８０２の清掃後、使用者は、上片４０２と下片４０３とを開いてクリップ体４０１を清掃体取付部１０２から外す。これにより、使用者は、汚れた清掃体２０１を清掃体取付部１０２から取り外すことができる。その後、使用者は、汚れていない新たな清掃体２０１を清掃体取付部１０２に装着し、再びクリップ体４０１を清掃体取付部１０２に装着して、清掃体２０１をテーパ面１０４に固定することができる。
【００４１】
本実施の形態の内周面クリーナ１０１によっても、コップ状の清掃体２０１が清掃体取付部１０２の上底面１０５から着脱自在に取り付けられるので、清掃体２０１のみを交換でき、かつ、確実に清掃対象部材８０１の孔部の内周面８０２を清掃することができる。そして、本実施の形態では、清掃体取付部１０２に大突起部２０５を設けることにより形成された外側溝２０６にクリップ体４０１を入り込ませて、クリップ体４０１によって清掃体２０１を内周面クリーナ本体部１０１ａに強固に固定することができる。しかも、クリップ体４０１は、清掃体２０１よりも外側に突出しない。このため、使用者が内周面クリーナ１０１を用いて清掃対象部材８０１（図４参照）に形成された孔部のテーパ状の内周面８０２（図４参照）を清掃しても、この内周面８０２がクリップ体４０１によって傷つくことがない。
【符号の説明】
【００４２】
１０１      内周面クリーナ
１０１ａ    内周面クリーナ本体部
１０２      清掃体取付部
１０３      握り部
１０５      上底面（一端面）
１０６      下底面（他端面）
１０７      第１溝（溝部）
１０８      第２溝（溝部）
１０９      ボルト部
１１１      第１凹部
２０１      清掃体
２０４      小突起部（突起部）
２０５      大突起部（突起部）
２０６      外側溝
２０７      第２凹部
３０１      ナット体（外周固定体）
３０２      ナット部
３０３      傾斜部
４０１      クリップ体
４０２      上片（長尺部）
４０３      下片（長尺部）
４０５      爪部
【図１】
2011051067.tif 000003
【図２】
2011051067.tif 000004
【図３】
2011051067.tif 000005
【図４】
2011051067.tif 000006
【図５】
2011051067.tif 000007
【図６】
2011051067.tif 000008
【図７】
2011051067.tif 000009
【図８】
2011051067.tif 000010
【図９】
2011051067.tif 000011
【図１０】
2011051067.tif 000012
【図１１】
2011051067.tif 000013